(57)【要約】      （修正有）【課題】１枚の付箋紙を伝達者・被伝達者用シートに分離し、各者の書類等に粘着・保管することができる複領域型の付箋紙を提供する。【解決手段】各付箋紙の裏面に塗布された再粘着再剥離糊を介して積層してなる複数枚の付箋紙１であって、各付箋紙は破断線２によって複数の領域に分けられ、各領域は破断線２に沿って複数のシートに分離することが可能となっている。再粘着再剥離糊は、従来の付箋紙のように付箋紙の端辺に塗布されているのではなく、破断線２上に一定の幅を持って塗布されている。このため、分離された各々のシートはその端辺に沿って一定幅に粘着糊を有することになり、シートを受け取った各人はそれぞれ所望の場所にシートを粘着させることができる。これにより、伝達者が控を保管することができるようになるため、被伝達者に対する連絡内容の実行についての確認や、第三者への再伝達が容易になる。【選択図】図１
0003192594.tif 000002
【実用新案登録請求の範囲】
【請求項１】
裏面に塗布された再粘着再剥離糊を介して積層してなる複数枚の付箋紙において、
前記付箋紙は少なくとも１の破断線を有し、
前記再粘着再剥離糊は前記破断線上に一定の幅を持って塗布されており、
前記付箋紙は前記破断線によって少なくとも２のシートに分離することが可能であり、
分離された各々の前記シートは端部に塗布されている前記再粘着再剥離糊により所望の場所に着接が可能であることを特徴とする付箋紙。
【考案の詳細な説明】
【技術分野】
【０００１】
本考案は、伝達用の付箋紙に関する。
【背景技術】
【０００２】
従来、付箋紙は、多数枚の紙を再粘着再剥離糊を介して積層してなるものが知られている。通常、各紙の記載領域は１つであり、１枚を複数の紙に分離する場合には、はさみ等の切断器を要する（以降、この種の付箋紙を「単領域型付箋紙」という。）。
【０００３】
また、上記のような単領域型付箋紙を複数の紙に分離する場合、前記複数の紙に粘着糊が残るようにするためには、積層から剥離後に、端辺の粘着糊塗布領域が両方の紙にまたがるように切る必要がある。
【先行技術文献】
【特許文献】
【０００４】
【特許文献１】実用新案登録第３０２２４８４号
【考案の概要】
【考案が解決しようとする課題】
【０００５】
特許文献１に記載の考案は、現在使用されている典型的な単領域型付箋紙である。このような単領域型付箋紙を伝達用に使用する場合には、通常１枚に連絡事項を記入して積層から剥離し、書類等に粘着させて被伝達者に渡す。
【０００６】
しかし、このような手法で付箋紙を渡した場合、伝達者には控えが残らないため、被伝達者が付箋紙を紛失した場合、確認については被伝達者の記憶に頼らざるを得ないことがあった。
【０００７】
また、伝達者自身が、被伝達者に対して行った連絡を被伝達者以外の第三者に再伝達する必要が生じた場合に、伝達者に控がないことから、連絡内容を確実に再伝達することが困難になることもあった。
【０００８】
さらに、複数の個人間でこのようなやり取りが交錯して行われた場合には、情報の伝達に混乱が生じ、グループ内のコミュニケーションが効果的に行われない等の問題があった。
【０００９】
上述の問題に鑑み、本考案においては、１枚の付箋紙を伝達者・被伝達者用シートに分離し、各者の書類等に粘着・保管することができる複領域型の付箋紙を提供することを課題とする。
【課題を解決するための手段】
【００１０】
上記課題を解決するために、本考案に係る複領域型の付箋紙は、各付箋紙の裏面に塗布された再粘着再剥離糊を介して積層してなる複数枚の付箋紙であって、各付箋紙は破断線によって複数の領域に分けられ、各領域は前記破断線に沿って複数のシートに分離することが可能となっている。
【００１１】
また、前記複領域型の付箋紙において、前記再粘着再剥離糊は、従来の単領域型の付箋紙のように付箋紙の端辺に塗布されているのではなく、前記破断線上に一定の幅を持って塗布されている。このため、分離された各々のシートはその端辺に沿って一定幅に粘着糊を有することになり、シートを受け取った各人はそれぞれ所望の場所に前記シートを粘着させることができる。
【００１２】
さらに、破断線を境とする各領域の文字印刷の向きを変えることにより、分離後の各シートの書類への貼り付け方に変化を持たせることができる。すなわち、破断線が分離後の各シートの上辺となるように文字の方向を印刷した場合には、分地後のシートの上辺が粘着糊塗布部分となるため書類等の上下の余白にシートを貼ることができ、破断線がシートの左辺又は右辺となるようにした場合には、シートの左辺又は右辺が塗布部分となるため書類等の左右の余白にシートを貼ることができる。
【考案の効果】
【００１３】
１枚の付箋を伝達者用と被伝達者用に分離し各々が保管することができるため、連絡内容の確実な共有が可能になる。
【００１４】
伝達者が控を保管することができるようになるため、被伝達者に対する連絡内容の実行についての確認や、伝達者から第三者への再伝達が容易になる。
【００１５】
複数の個人間での情報伝達が確実に行われるようになるため、グループ内のコミュニケーションが円滑になる。
【００１６】
分離後の各シートはその端辺に一定の幅で再粘着再剥離糊塗布領域を有し、シートを書類等に着接させることができるため、依頼事項の失念や書類の紛失などの危険が減る。
【００１７】
付箋紙に印刷する文字の方向を変えることにより、分離後の各シートの粘着部分をシートの上辺又は左右辺とすることができ、これによりシートを貼りつける書類等の余白を選択することができる。
【図面の簡単な説明】
【００１８】
【図１】本実施形態１の付箋紙の平面図である。
【図２】本実施形態１の付箋紙を分離した状態を示す付箋紙及び各シートの平面図である。
【図３】本実施形態２の付箋紙を分離した状態を示す付箋紙及び各シートの平面図である。
【考案を実施するための形態】
【００１９】
以下、本考案の実施形態について図を用いて説明する。
【００２０】
（実施形態１）
図１に示すように、本考案に係る複領域型の付箋紙１は、本実施形態においては等しい面積を有する２の領域Ａ１１及びＢ１２を有し、各領域は破断線２によって、伝達者用のシートＡ４及び被伝達者用のシートＢ５へと分離可能となっている（図２）。破断線２は、マイクロカッターを利用したミシン目加工とするのが最適である。
【００２１】
また、多数枚の付箋紙１の積層状態を保持するための再粘着再剥離糊塗布領域３は、従来の単領域型の付箋紙のように付箋紙裏面の端辺及びその近傍ではなく、付箋紙１裏面の破断線２上に一定の幅をもって存在する。このため、図２に示すように、分離後のシートＡ１１及びシートＢ１２は、もとの破断線２の端辺に沿って、一定幅に再粘着再剥離糊塗布領域３を有する。
【００２２】
実施形態１においては、破断線２が分離後の各シートの上辺となるように文字等の印刷がなされているため、伝達者及び被伝達者は、それぞれシートＡ１１・シートＢ１２の上辺を自分の書類等に粘着させて使用する。
【００２３】
（実施形態２）
図２は本実施形態２を示すものである。本実施形態における複領域型付箋紙１は、破断線２が分離後の各シートの左辺又は右辺となるように文字等の印刷がなされており、各シートの再粘着再剥離糊塗布領域３もシートの左辺又は右辺となる。  したがって、伝達者及び被伝達者は、それぞれシートＡ・シートＢの左辺又は右辺を自分の書類等に粘着させて使用する。
【００２４】
これにより、書類等の上下の余白にシートを粘着させたい場合には実施形態１を、また、左右の余白に粘着させたい場合には実施形態２を採用するといった使い分けが可能となる。書類上の上記粘着の位置をグループ内で統一することも、円滑な情報伝達の一助になると考える。
【００２５】
以上、本考案の有する特徴及び優れた点を、上記実施形態に記載したが、本考案は、本考案の原理の範囲内で、本願の実用新案登録請求の範囲で使用されている言葉を広く一般的な意味にまで広げて実施することが可能である。特に付箋紙の形状、破断線によって分離可能な領域の数については様々な実施形態が可能であり、それらは本考案の技術的範囲に含まれるものと解する。
【符号の説明】
【００２６】
１    付箋紙
１１  Ａ領域
１２  Ｂ領域
２    破断線
３    再粘着再剥離糊塗布領域
４    シートＡ
５    シートＢ
【図１】
0003192594.tif 000003
【図２】
0003192594.tif 000004
【図３】
0003192594.tif 000005